(57)【要約】【課題】  複数の画像を同時再生する場合の操作性を改善する。【解決手段】  ビデオオーディオ処理ブロック４は、ディスク記録媒体２０からの複数の画像の再生、外部メモリ１２からの画像の再生を同時に実行できる。ビデオオーディオ処理ブロック４は、マイクロコンピュータ８からの指示に従う出力先に各再生画像を出力する。マイクロコンピュータ８は、各再生画像の再生動作の操作に使用する操作手段をそれぞれ異なるものに設定可能である。【選択図】  図１
2006025242.tif 000002
【特許請求の範囲】
【請求項１】
１以上の記録媒体から複数の画像情報を同時に再生できる再生手段と、
それぞれ前記再生手段により再生された画像情報を異なる表示装置に対して出力する複数の再生信号出力手段と、
複数の操作手段と、
前記異なる表示装置のうち、前記再生手段で再生される各画像情報の出力先の表示装置と、前記複数の操作手段のうち、前記各出力先の表示装置にて表示される画像情報の再生動作を指示するための操作手段とを対応付けて記憶する対応記憶手段と、
前記再生手段により再生出力される各画像情報を、前記対応記憶手段で対応付けられた出力先の表示装置に出力すべく前記複数の再生信号出力手段に供給するとともに、前記複数の操作手段による指示に応じて、前記対応記憶手段により前記複数の操作手段に対応付けられた表示装置に出力されている画像情報の再生動作を制御する制御手段
とを具備することを特徴とする画像再生装置。
【請求項２】
前記再生手段は、複数の前記記録媒体に記録された情報を同時に再生することを特徴とする請求項１に記載の画像再生装置。
【請求項３】
前記再生された複数の画像情報の出力先の表示装置を任意に切り替える手段を備えることを特徴とする請求項１に記載の画像再生装置。
【請求項４】
前記複数の出力先に表示される画像情報の再生動作をそれぞれ独立に指示するための操作手段を前記複数の操作手段の中から任意に設定する手段を備えることを特徴とする請求項１に記載の画像再生装置。
【請求項５】
前記複数の表示装置は、前記画像再生装置に設けられた表示装置と、前記画像再生装置の外部の表示装置とを含むことを特徴とする請求項１に記載の画像再生装置。
【請求項６】
前記複数の操作手段は、前記画像再生装置に設けられた操作スイッチと、前記画像再生装置の外部のリモートコントローラとを含むことを特徴とする請求項１に記載の画像再生装置。
【発明の詳細な説明】
【技術分野】
【０００１】
本発明は、同時に複数の画像を再生可能な画像再生装置に関する。
【背景技術】
【０００２】
撮影した画像データを磁気テープに記録再生するデジタルＶＴＲが知られている。また、近年では、メモリカードスロットを持ち、動画像を磁気テープに記録すると同時に、静止画像をメモリカードに記録するデジタルＶＴＲも登場している。
【０００３】
この種のデジタルＶＴＲでは、磁気テープの記録映像を再生する再生モード（テープ再生モード）と、メモリカードの記録映像を再生する再生モード（カード再生モード）とを切り替えて、共通のスイッチにより磁気テープからの再生とメモリカードからの再生を制御している（例えば、特許文献１参照）。
【特許文献１】特開２００３−２２４３４号公報
【発明の開示】
【発明が解決しようとする課題】
【０００４】
この様なデジタルＶＴＲでは、磁気テープから動画像を再生しながらメモリカードから静止画像を再生することは、容易である。しかし、前述の様に、テープ再生モードとカード再生モードとで操作スイッチを共用している場合、磁気テープからの再生とメモリカードからの再生の一方しか操作を行うことができない。これでは、複数のユーザが磁気テープからの再生画像とメモリカードからの再生画像を別々に閲覧する時に、それぞれ任意に画像送り及び早送り等の操作ができないという問題がある。
【０００５】
本発明は、複数の記録媒体からの同時再生の場合の操作性を改善した画像再生装置を提示することを目的とする。
【課題を解決するための手段】
【０００６】
本発明に係る画像再生装置は、１以上の記録媒体から複数の画像情報を同時に再生できる再生手段と、それぞれ前記再生手段により再生された画像情報を異なる表示装置に対して出力する複数の再生信号出力手段と、複数の操作手段と、前記異なる表示装置のうち、前記再生手段で再生される各画像情報の出力先の表示装置と、前記複数の操作手段のうち、前記各出力先の表示装置にて表示される画像情報の再生動作を指示するための操作手段とを対応付けて記憶する対応記憶手段と、前記再生手段により再生出力される各画像情報を、前記対応記憶手段で対応付けられた出力先の表示装置に出力すべく前記複数の再生信号出力手段に供給するとともに、前記複数の操作手段による指示に応じて、前記対応記憶手段により前記複数の操作手段に対応付けられた表示装置に出力されている画像情報の再生動作を制御する制御手段とを具備することを特徴とする。
【発明の効果】
【０００７】
本発明によれば、複数の画像のそれぞれに独立した操作部を提供することで、一台の記録再生機を複数のユーザで別シーンを見ると共に前記見ているシーンに対して個別に操作することが可能となり、操作性を向上させることができる。
【発明を実施するための最良の形態】
【０００８】
以下、図面を参照して、本発明の実施例を詳細に説明する。
【実施例１】
【０００９】
図１は、本発明の一実施例の概略構成ブロック図を示す。図示した実施例は、記録媒体として光ディスクに動画を記録し、メモリカードに静止画を記録するビデオカメラ、いわゆるディスクビデオカメラ（ＤＶＣと略す）である。
【００１０】
ビデオレンズ１は、ＣＣＤ撮像素子２の撮像面に被写体からの光を集光する。撮像素子２は、ビデオレンズ１によって集光された光信号を電気信号に変換して、カメラ信号処理ブロック３に供給する。カメラ信号処理ブロック３は、撮像素子２から出力される電気信号にカメラ信号処理を行い、映像信号をビデオオーディオ信号処理ブロック４に供給すると共に、マイクロコンピュータ８の指示により映像の色合い、色の濃さ、明るさ、撮影時のシャッター速度及び絞り値等の設定値を変えることのできる。
【００１１】
ビデオオーディオ処理ブロック４は、マイクロコンピュータ８の指示により、撮影時はカメラ信号処理ブロック３から出力された映像信号とマイク６からの音声信号を処理してディスク駆動機構１１に装着された記録再生可能なディスク記録媒体２０に情報信号を記録すると共に、ＬＣＤ（液晶表示装置）５に画像確認用の映像信号を出力し、ビデオ信号出力端子１７に外部接続モニタへの映像信号を出力し、オーディオ出力端子１８に外部接続機器用への音声信号を出力する。ビデオオーディオ処理ブロック４はまた、１３９４Ｉ／Ｆブロック１３にも映像音声信号を供給する。１３９４Ｉ／Ｆブロック１３は、ブロック４からの映像音声信号をＩＥＥＥ１３９４信号に変換して、外部接続ＰＣに供給する。
【００１２】
本実施例は、再生時には、ディスク駆動機構１１によりディスク記録媒体２０の情報信号を映像信号に変換すると共に、ディスク記録媒体２０に記録された複数のシーンを同時再生することが可能となっている。
【００１３】
ビデオオーディオ信号処理ブロック４は、ディスク記録媒体２０から再生された映像信号をマイクロコンピュータ８の制御に従い複数再生シーンに対してＬＣＤ５、ビデオ信号出力端子１７及び１３９４Ｉ／Ｆブロック１３に独立して配給可能である。
【００１４】
ユーザは、操作部１５により、本実施例の再生、早送り、巻き戻し、一時停止及び停止等の映像シーンの操作、複数シーン再生設定並びに再生シーンの出力先の設定を行なえる。操作部１５にはタクトスイッチが装備されており、マイクロコンピュータ８は、操作部１５の各タクトスイッチの状態を検出し、操作を検出したスイッチに応じた制御動作を実行する。
【００１５】
リモコン受信部１４は、外部操作部である赤外リモコン１６からのリモコン赤外信号を受信する。マイクロコンピュータ８は、リモコン受信部１４で受信したリモコン信号を検出すると、赤外リモコン１６の操作に応じた制御動作を実行する。
【００１６】
マイクロコンピュータ８は、本実施例の全体を制御する。本実施例で特徴的には、マイクロコンピュータ８は、操作部９からの操作により複数の再生映像の出力先を設定すると共に、出力先に表示されている画像の再生動作を操作するための操作部を設定することができる。
【００１７】
具体的例として、ディスク記録媒体２０から再生されたシーン１の映像信号をＬＣＤ５に配給し、これと同時に、ディスク記録媒体２０から再生された別のシーン２の映像信号をビデオ信号出力端子１７に供給し、ディスク記録媒体２０から再生されたシーン３の映像信号を１３９４Ｉ／Ｆブロック１３に供給することができる。再生映像信号の出力先は、任意に変更可能である。ＬＣＤ５に供給されるシーン１を操作部１５で操作し、ビデオ信号出力端子１７に出力されるシーン２を赤外リモコン１６で操作し、１３９４Ｉ／Ｆブロック１３に出力されるシーン３を、１３９４Ｉ／Ｆブロック１３に接続されたＰＣ（図示せず）で操作するように、各再生シーンに互いに異なる操作手段を割当てることができる。
【００１８】
図２を参照して、複数シーンの再生設定画面例を説明する。図２は、複数再生設定用のメニュー画面の一例を示す。操作部１５の所定スイッチＳＷ７を押すことで、図２に示すメニューがＬＣＤパネル５に表示されると共に、複数再生設定モードに移行する。
【００１９】
複数再生設定モードで本体操作部１５のＳＷ１を押すと、カーソル１は下方向に移動し、ＳＷ２を押すと、カーソル１は上方向に移動する。ＳＷ３を押すと、カーソル２は左方向に移動し、ＳＷ４を押すと、カーソル２は左方向に移動する。カーソル１は行を指定し、カーソル２は列を指定する。カーソル１とカーソル２で指定された個所が変更可能個所となる。ＳＷ５を押すと、設定可能内容が順次、切り替わっていく。複数同時に設定できない個所に関して優先順位を設ける。例えば、シーン１がもっとも優先順位が高く、メニュー下段に記載されているシーンほど優先順位が低くなる。
【００２０】
以上、説明したように、複数のシーンを同時に再生できるＤＶＣにおいて、各シーンの出力先を任意に設定すると共に、各シーンの操作部を個別に割り当てることができる。
【実施例２】
【００２１】
ディスク記録媒体２０から同時に複数のシーンを再生する場合を説明したが、ディスク記録媒体２０と外部メモリ（メモリカード）１２とから同時に画像を再生する場合も同様に出力先、及び操作部を設定することができる。そのように図１に示す実施例を変更した場合を説明する。
【００２２】
撮影時のビデオオーディオ処理ブロック４からの映像信号及び音声信号をディスク記録媒体２０と着脱可能なメモリカード１２の両方又は選択された一方に記録できる。
【００２３】
ビデオオーディオ処理ブロック４は、外部カード１２に記録された情報信号も、ディスク記録媒体２０に記録される情報信号と同様に、映像信号に変換して出力でき、更には、ディスク記録媒体２０に記録されるシーンと外部カード１２に記録されるシーンを同時に再生することが可能である。ビデオオーディオ信号処理ブロック４は、ディスク記録媒体２０から再生された映像信号及び外部メモリ１２から再生された映像信号を、マイクロコンピュータ８の制御に従い、それぞれ、ＬＣＤ５、ビデオ信号出力端子１７及び１３９４Ｉ／Ｆブロック１３の内の任意のデバイスに独立して配給可能である。
【００２４】
具体的動作として、ディスク記録媒体２０から再生されたシーン１をＬＣＤ５に配給し、ディスク記録媒体２０から再生されたシーン２をビデオ信号出力端子１７に供給し、外部メモリ１２から再生されたシーン３を１３９４Ｉ／Ｆブロック１３に供給することが可能であり、それぞれのシーンについて、出力先を任意に変更できる。設定された出力先に表示される画像の再生動作を操作するための操作部も、任意に設定可能である。
【００２５】
例えば、ＬＣＤ５に出力するシーン１を操作部１９で操作し、ビデオ信号出力端子１７に出力されるシーン２を赤外リモコン１６で操作し、１３９４Ｉ／Ｆブロック１３に出力されたシーン３を、１３９４Ｉ／Ｆブロック１３に接続されたＰＣで操作することができる。
【００２６】
同時再生する複数の画像の、ソース並びに出力先及び操作手段の割当ては、第１実施例と同様であり、図２に例示する複数再生設定メニューで設定できる。
【００２７】
なお、前述の実施の形態では、同時に再生した複数のシーンの画像の出力先とその操作部とを任意に設定可能としたが、これ以外にも、出力先と操作部とを予め対応付けておくようにしてもよい。
【００２８】
例えば、図１においてＬＣＤ５に表示している画像の再生動作を操作部１５により操作し、端子１７から出力される画像の再生動作をリモコン１６により操作するよう、予め設定しておくことも可能である。
【図面の簡単な説明】
【００２９】
【図１】本発明の一実施例の概略構成ブロック図である。
【図２】複数再生設定メニュー例である。
【符号の説明】
【００３０】
１：ビデオレンズ
２：ＣＣＤ撮像素子
３：カメラ信号処理ブロック
４：ビデオオーディオ処理ブロック
５：ＬＣＤ（液晶表示装置）
６：マイク
７：表示文字発生ブロック
８：マイクロコンピュータ
９：操作部
１０：ディスク駆動ブロック
１１：ディスク駆動機構
１２：外部メモリ
１３：１３９４Ｉ／Ｆブロック
１４：リモコン受信部
１５：操作部
１６：赤外リモコン
１７：ビデオ信号出力端子
１８：オーディオ出力端子
１９：外部ビデオモニタ
２０：ディスク記録媒体
【図１】
2006025242.tif 000003
【図２】
2006025242.tif 000004